(57)【要約】【課題】設置される占有の床面積を省スペース化できるだけでなく床面上での移動操作が容易となり、且つ分解組立を可能とすることで移設時の運搬作業を容易に行うことができる花輪台を提供する。【解決手段】人為的な操作で床面上で走行停止可能としたベース２上に立設される単一の支柱６と、該支柱６の上端の両側に隣接して並設される一対の係止具と、該係止具に対応して着脱可能に係止すべく背面の左右に一対の係止部を並設した花輪とから成り、支柱６は、ベース２の上部に支柱６を分離接続可能に継ぐ連結部Ｔを有し、ベース２の直上には所定間隔をもって水平な支持板１２が配設されている。【選択図】  図２
0003128651.tif 000002
【実用新案登録請求の範囲】
【請求項１】
立設した支柱の係止具に花輪が着脱可能に取付られる花輪台１に於いて、
上記花輪台１は、人為的な操作で床面上で走行停止可能としたベース２上に立設される単一の支柱６と、該支柱６の上端の両側に隣接して並設される一対の係止具１８ａ，１８ｂと、該係止具１８ａ，１８ｂに対応して着脱可能に係止すべく背面の左右に一対の係止部２２ａ，２２ｂを並設した花輪Ｆとから成り、
上記支柱６は、上記ベース２の上部に上記支柱６を分離接続可能に継ぐ少なくとも1つの連結部Ｔを有し、上記ベース２の直上には所定間隔をもって水平な支持板１２が配設されていることを特徴とする花輪台。
【請求項２】
上記支柱６は、上記連結部Ｔが上記ベース２と支持板１２の間にあって、上記連結部Ｔは、上部管体６ａと、該上部管体６ａの下端が挿嵌可能で上記ベース２上に立設支持される下部管体６ｂとから成り、上記上部管体６ａの下端部上方外周には、上記下部管体６ｂへ挿嵌した際に上部管体６ａの挿嵌長さが位置決めされるとともに、上記両管体６ａ，６ｂの端部近傍に設けた抜け止め部１４ａ，１４ｂの位置合わせを行うためのストッパーＳが装着されていることを特徴とする請求項１に記載の花輪台。
【考案の詳細な説明】
【技術分野】
【０００１】
本考案は、立設した支柱の係止具に花輪が着脱可能に取付られる花輪台の改良に関する。
【背景技術】
【０００２】
従来より、生花や造花を飾る慶弔用の花輪を取付ける花輪台として、例えば前側の2本の支柱と後側の2本の支柱が上端で揺動可能に連結されて開閉可能に構成される脚部材の上方に花輪本体を着脱可能に支持する一対の花輪本体支持用フックを設けたものが提案されている（特許文献１参照）。
【０００３】
【特許文献１】特開平９−２４１９０９号公報
【考案の開示】
【考案が解決しようとする課題】
【０００４】
ところで、特許文献１に係る花輪台は、花輪本体支持用フックが前側の２本の支柱の上部に水平に設けられており、上記花輪本体は、環状に形成されたフレームと、このフレームに取付けた名札支持部材および網部材と、この網部材に保持される造花とから構成されていて、上記フレームは、アルミ管体を溶接して環状に形成して同心となるように配設した第１〜第４の管体と、径方向に延びて第１〜第４の管体を連結する6本の連結用管体と、中心部に横架させた2本の直線状管体とから構成されている。
【０００５】
そして、上記のように構成された花輪本体を、開脚状態にある脚部材の上部に上記フックを介して支持する際は、フレームにおける環状の、第１の管体の最上部を上記フックに支承されることによって行われる。
【０００６】
ところが、上記花輪台となる脚部材は、前後4本の支柱を上端で揺動可能に連結して開脚状態で自立可能な構成となっているが、開脚した状態では、４本の支柱下端の接地部が床面を広く占有してしまう問題を有しており、狭い床面上では一度設置すると一人で移動する作業が困難となる問題を有していた。
【０００７】
また、上記脚部材では、上端で平行に折り畳まれたとしても4本の長尺の支柱から構成されているため、長尺の状態で式場から移設する際は運搬車両の収容スペースが必要となり搬送車両の種類が制限される問題を有していた。
【０００８】
本考案は、このような問題点に着目してなされたもので、設置される占有の床面積を省スペース化できるだけでなく床面上での移動操作が容易となり、且つ分解組立を可能とすることで移設時の運搬作業を容易に行うことができる花輪台を提供することを目的とする。
【課題を解決するための手段】
【０００９】
上記目的を解決するために、本考案の請求項１に記載の花輪台は、立設した支柱の係止具に花輪が着脱可能に取付られる花輪台１に於いて、上記花輪台１は、人為的な操作で床面上で走行停止可能としたベース２上に立設される単一の支柱６と、該支柱６の上端の両側に隣接して並設される一対の係止具１８ａ，１８ｂと、該係止具１８ａ，１８ｂに対応して着脱可能に係止すべく背面の左右に一対の係止部２２ａ，２２ｂを並設した花輪Ｆとから成り、上記支柱６は、上記ベース２の上部に上記支柱６を分離接続可能に継ぐ少なくとも1つの連結部Ｔを有し、上記ベース２の直上には所定間隔をもって水平な支持板１２が配設されていることを特徴とする花輪台である。
上記の花輪台によれば、慶弔時の式典が行われる際は、花輪台１が式場に持ち込まれると、分解された上下の支柱６が連結部Ｔを介して継がれて、ベース２上に立設した単一の支柱６が床面上に走行停止可能に設置される。立設した支柱６の上端両側に並設される一対の係止具１８ａ，１８ｂには花輪Ｆが背面の左右に並設した一対の係止部２２ａ，２２ｂを介して取付けられて組立作業が終了する。式典の終了時には花輪Ｆが支柱６の上端から外されると、支柱６が上記連結部Ｔからコンパクトに分解されて当該式場から運搬車両に載せて移設される。
【００１０】
本考案の請求項２に記載の花輪台は、上記支柱６は、上記連結部Ｔが上記ベース２と支持板１２の間にあって、上記連結部Ｔは、上部管体６ａと、該上部管体６ａの下端が挿嵌可能で上記ベース２上に立設支持される下部管体６ｂとから成り、上記上部管体６ａの下端部上方外周には、上記下部管体６ｂへ挿嵌した際に上部管体６ａの挿嵌長さが位置決めされるとともに、上記両管体６ａ，６ｂの端部近傍に設けた抜け止め部１４ａ，１４ｂの位置合わせを行うためのストッパーＳが装着されていることを特徴とする花輪台である。
上記の花輪台によれば、上記支柱６のベース２上に立設支持される下部管体６ｂに上部管体６ａを連結部Ｔで継ぐ場合は、上部管体６ａの下端部を下部管体６ｂの上端開口から挿嵌した際に上記下部管体６ｂの上端にストッパーＳが当接して上部管体６ａの挿嵌長さが位置決めされるとともに、上記両管体６ａ，６ｂの端部近傍に設けた抜け止め部１４ａ，１４ｂの位置合わせが行われる。
【考案の効果】
【００１１】
本考案は以下の効果を奏する。
【００１２】
請求項１に記載の考案によれば、分解された上下の支柱が連結部を介して継がれて、ベース上に立設した単一の支柱が床面上に走行停止可能に設置されるように構成されているので、設置される占有の床面積を省スペース化できるだけでなく、床面上での移動操作を容易に行うことができる。
【００１３】
請求項２に記載の考案によれば、下部管体の上端開口から上部管体の下端部を挿嵌した際に、下部管体の上端がストッパーに当接することで上部管体の挿嵌長さを位置決めされると共に、両管体の端部近傍に設けた抜け止め部の位置合わせが行われることで、支柱の分解組立が簡便となりコンパクト化されるので花輪台移設時の運搬作業が容易になる。
【考案を実施するための最良の形態】
【００１４】
本考案の実施例を以下に説明する。
【実施例】
【００１５】
図１には、本考案の一実施例が示されている。図１は実施例に係る花輪台の全体斜視図、図２（ａ）はべースと支持板の間に配設された連結部を示す支柱下部の部分拡大斜視図、（ｂ）は連結部の分解斜視図、図３は支柱下部の部分拡大斜視図、図４（ａ）は支柱上端の一対の係止具に背面に並設した一対の係止部が係止される状態を示す説明図、（ｂ）は支柱上端の一対の係止具を示す支柱上部を示す拡大斜視図である。
【００１６】
図１において、１は花輪台であって、花輪台１は、角型の鋼鈑で形成されたベース２の底面には図示しないストッパーを具備した４つのキャスター４が設けられて床面上を人為的な操作で走行停止可能となっている。
【００１７】
また、上記支柱６の上部には、図１に示すように慶弔用の生花や造花などを前面に飾った花輪Ｆが着脱可能に係止されており、上記花輪Ｆの中央上部には贈り主の名前が記された縦長矩形の名板８が立設保持されている。
【００１８】
上記ベース２上に立設した支柱６の下部には、図２、図３に示すように後述する金属製の支持板１２（図２参照）が配設されており、上記支持板１２は、花瓶や飾り物などが載置される置き台として使用されるようになっている。
【００１９】
上記支柱６は、図２に示すように、金属製の円筒状の上部管体６ａと上記ベース２上に接合されて立設支持される下部管体６ｂとから構成されており、上部管体６ａの下端と下部管体６ｂの上端は連結部Ｔで互いに挿嵌されて分離、接続可能に継がれるように構成されている。
【００２０】
上記支持板１２は、上記ベース２の直上にある下部管体６ｂの下方に接合されていて、側面視Ｌ字状に折曲して前述した置き台となる水平支持部１２ａと垂直壁部１２ｂとから成り、上記水平支持部１２ａは、これを挿通した後述する下部管体６ｂの周囲に溶接接合されている。
【００２１】
一方、上部管体６ａは、図４（ａ）、（ｂ）に示すように上端に矩形状の花輪支持板１６が略幅方向中心部で溶接接合されており、その前面には、両側に一対の係止具となるフック１８ａ，１８ｂが隣接して並設されている。
【００２２】
また、図４（ａ）に示す花輪Ｆは、裏側に設けた背板２０には上記フック１８ａ，１８ｂに対応する係止部となるコ字状に形成された一対の差込み金具２２ａ，２２ｂが隣接して並設されている。
【００２３】
そこで、上記花輪支持板１６の前面に隣接して並設される一対のフック１８ａ，１８ｂに上記花輪Ｆの背板２０に取付けられた一対の差込み金具２２ａ，２２ｂが係止され、上記花輪Ｆは一対のフック１８ａ，１８ｂと花輪支持板１６の前面に支持された状態で取り付けられる。
【００２４】
次に、上部管体６ａと下部管体６ｂを継ぐ連結部Ｔに付き、図２（ａ）、（ｂ）を参照して説明する。
【００２５】
上記連結部Ｔを構成する上部管体６ａの下端には、金属製の円筒状ブロックで構成されたストッパーＳが装着されており、上記ストッパーＳには、当該ストッパーＳを挿通した上部管体６ａが上記ストッパーＳの下端側から所定長さ突出しており、上部管体６ａの下端には抜け止め部となる上部挿通孔１４ａが径方向を貫通するように穿設されている。また、下部管体６ｂの上端にも上記上部管体６ａ下端の挿通孔１４ａに対応する位置に抜け止め部となる下部挿通孔１４ｂが径方向を貫通するように穿設されている。
【００２６】
そこで、上記下部管体６ｂに上部管体６ａを連結部Ｔで継ぐ場合は、下部管体６ｂの上端開口から上部管体６ａの下端部を挿嵌する際に、上記下部管体６ｂの上端に上記ストッパーＳの下端が当接するまで挿嵌する。
【００２７】
上記ストッパーＳの当接により、下部管体６ｂ内に挿嵌される上部管体６ａ下端の挿嵌長さが決められるとともに、上記両管体６ａ，６ｂの端部近傍に設けた上部挿通孔１４ａと下部挿通孔１４ｂの位置合わせが行われる。
【００２８】
これらの位置合わせにより挿通可能となった両挿通孔１４ａ，１４ｂに連結ボルト１５を挿通締着することで、上部管体６ａと下部管体６ｂが確実に連結されて花輪台１を構成する単一の支柱６が完成する。
【００２９】
支柱６が完成すると、図１に示すようにベース２上面には支持板１２の外周及びその上面が隠れるように化粧用のすだれ１０などを巻回して載置することができる。
【００３０】
このように、本考案の実施形態によれば、上下に２分解した支柱６は、連結部Ｔを介して分離、接続可能に継がれて、ベース２上に立設した単一の支柱６が床面上に走行停止可能に設置されるように構成されているので、設置される占有の床面積を省スペース化することができるだけでなく、床面上での移動操作を容易に行うことができる。
【００３１】
また、下部管体６ｂの上端開口から上部管体６ａの下端部を挿嵌した際に、下部管体６ｂの上端にストッパーＳに当接して上記上部管体６ａがこれより大径の下部管体６ｂに挿嵌する挿嵌長さを位置決めされると共に、両管体の端部近傍に設けた抜け止め部の位置合わせが行われることで、支柱の分解組立が簡便となりコンパクト化されるので花輪台移設時の運搬作業が容易になる。
【００３２】
なお、上記実施形態では、花輪台を構成する支柱６やベース２、支持板１２、花輪支持板１６などは金属に限定されるものではなく、他の材質（例えば木製または合成樹脂など）で構成することもできる。また、上記支柱６は、円筒状の管体以外にも角形や各種断面形状の管体で構成することもできる。
【図面の簡単な説明】
【００３３】
【図１】本考案の実施例に係る花輪台の全体斜視図である。
【図２】（ａ）はべースと支持板の間に配設された連結部を示す支柱下部の部分拡大斜視図、（ｂ）は連結部の分解斜視図である。
【図３】支柱下部の部分拡大斜視図である。
【図４】（ａ）は支柱上端の一対の係止具に背面に並設した一対の係止部が係止される状態を示す説明図、（ｂ）は支柱上端の一対の係止具を示す支柱上部を示す拡大斜視図である。
【符号の説明】
【００３４】
１                  花輪台
２                  ベース
４                  キャスター
６                  支柱
６ａ                上部管体
６ｂ                下部管体
８                  名板
１２                支持板
１２ａ              水平支持部
１２ｂ              垂直壁部
１４ａ              上部挿通孔（抜け止め部）
１４ｂ              下部挿通孔（抜け止め部）
１５                連結ボルト
１６                花輪支持板
１８ａ，１８ｂ      フック（係止具）
２０                背板
２２ａ，２２ｂ      金具（係止部）
Ｆ                  花輪
Ｓ                  ストッパー
Ｔ                  連結部
【図１】
0003128651.tif 000003
【図２】
0003128651.tif 000004
【図３】
0003128651.tif 000005
【図４】
0003128651.tif 000006